(57)【要約】【課題】長尺のグローブ付照明器具において、光源と点灯制御回路とを個別の防水構造とする。【解決手段】２枚の平板が１対のリブ１０Ｇで連結されている取付本体１０と、前記２枚の平板の一方である電源側フランジ１０Ａに固定された電源装置２と、前記電源装置２の周囲を覆う電源カバー４０と、前記２枚の平板の他方である照射側フランジ１０Ｂに固定された防水構造の照射部とを有し、前記電源カバー４０は、前記取付本体１０の外周に連続的に設けられたパッキン３を介して前記取付本体１０に固定されており、前記照射部の防水区域と前記電源装置周囲の防水区域とはそれぞれ独立した防水構造である照明器具とする。【選択図】図７
2017062926.tif 000002
【特許請求の範囲】
【請求項１】
２枚の平板が１対のリブで連結されている取付本体と、
前記２枚の平板の一方である電源側フランジに固定された電源装置と、
前記電源装置の周囲を覆う電源カバーと、
前記２枚の平板の他方である照射側フランジに固定された防水構造の照射部とを有し、
前記電源カバーは、前記取付本体の外周に連続的に設けられたパッキンを介して前記取付本体に固定されており、
前記照射部の防水区域と前記電源装置の周囲の防水区域とはそれぞれ独立した防水構造である照明器具。
【請求項２】
前記電源カバーは、金属板を折り曲げ加工して略長方形の開口部を有する箱形に形成されており、それぞれの折り曲げ端部に折り返し部を有し、折り返し部の端部には箱形の開口端面と平行になる部分が形成されている請求項１に記載された照明器具。
【請求項３】
前記前記電源カバーの折り返し部は、他の折り返し部と隣接する部分にできる隙間が溶接で塞がれている請求項１から２のいずれかに記載された照明器具。
【発明の詳細な説明】
【技術分野】
【０００１】
本発明は、照明器具に関し、特に屋外に設置される比較的長尺の照明器具であって、発光素子及びその制御回路を内蔵し、照射側には透光性カバーを有する防水形照明器具に関するものである。
【背景技術】
【０００２】
この種の照明器具に関しては、例えば特許文献１の図１から図７に開示されているような照明器具が公知である。特許文献１に開示された照明器具は直管形蛍光ランプを内蔵する照明器具であり、ラッチを構成する係止片を長くして透光性カバーのほぼ全周を覆うことにより、従来のラッチ機構やボルト締めの課題であった締付力の不均等に起因する防水性能の低下を解決している。また特許文献１の図８または図９に開示されているように、パッキンを介して取付本体とカバーとを係止する方法として、局所的なラッチ機構やボルト締めを使用する技術も公知である。このような特許文献１に代表される形式の照明器具では、光源と点灯制御回路を含む構成部品全体を一つの大きなカバー付本体に内蔵して防水構造を実現している。
【０００３】
防水構造を実現する別の方法として、特許文献２に開示されているように、発光ダイオード（以下ＬＥＤ）を発光素子として用いた長尺照明装置において、ＬＥＤ及び電子部品を積載した回路基板全体を透明樹脂でポッティングする技術も公知である。
【先行技術文献】
【特許文献】
【０００４】
【特許文献１】実開昭６３−０５２２１０号公報
【特許文献２】特開２００３−３０３５０４号公報
【発明の概要】
【発明が解決しようとする課題】
【０００５】
特許文献１に開示された技術を採用した照明器具は、上述の通り光源と点灯制御回路を含む構成部品全体を一つの大きなカバー付本体に内蔵して防水構造を実現している。
【０００６】
別の方法として特許文献２に開示された技術を採用し、防水が必要な部材を全て樹脂でポッティングしても良いが、このような構造では照明器具の保守が不可能となり、一般に使用される照明器具としては不適当である。
【０００７】
ＬＥＤ照明器具は、従来の蛍光灯光源を使用した器具よりも光源周囲の温度が高くなることが多い。しかもＬＥＤは発光素子の温度が上がると発光特性が悪くなる傾向がある。特に防水構造の照明器具において、光源と点灯制御回路とが同じ空間内に密閉される構造では、光源からの発熱と点灯制御回路からの発熱とが相乗効果を起こして互いに悪影響を与えるおそれも考えられる。
【課題を解決するための手段】
【０００８】
上記課題を解決するため、本発明の照明器具は、２枚の平板が１対のリブで連結されている取付本体と、前記２枚の平板の一方である電源側フランジに固定された点灯制御回路を含む電源装置と、前記電源装置の周囲を覆う電源カバーと、前記２枚の平板の他方である照射側フランジに固定された防水構造の照射部とを有し、前記電源カバーは、前記取付本体の外周に連続的に設けられたパッキンを介して前記取付本体に固定されていることによって、前記照射部の防水区域と前記電源装置周囲の防水区域とはそれぞれ独立した防水状態に保持される防水形照明器具としてよい。
【発明の効果】
【０００９】
本発明の照明器具は、上記の構成を採用することにより、光源を有する照射部からの発熱と点灯制御回路を有する電源部からの発熱とがそれぞれの熱源の周囲に設けられた空間及びそれぞれの熱源が固定されたフランジへ伝達され、互いに熱影響を与えることなく排熱される。また前記照射部の防水区域と前記電源部周囲の防水区域とはそれぞれ独立した防水状態に保持されるので万が一浸水が起こった場合にも他の防水箇所に影響を与えることがない。
【図面の簡単な説明】
【００１０】
【図１】本発明を適用した照明器具の一例を示す正面図。
【図２】図１の照明器具の断面図。
【図３】図１の照明器具の下面図。
【図４】図１の照明器具の固定部材付近を示す拡大図。
【図５】本発明を適用した固定部材の一例の作用を説明するための図
【図６】本発明を適用した固定部材及び取付部の一例の細部を示す図
【図７】本発明を適用した照射部及び電源部の取付関係を示す断面図
【発明を実施するための形態】
【００１１】
以下、本発明に係る実施形態に関して、添付の図面を参照しながら詳細に説明する。なお図中の同じ要素に対しては同じ参照符号を付して、重複した説明を省略する。
【００１２】
図１は、本発明を適用した照明器具の一例を示す。図1の中心線である一点鎖線より右側は照明器具全体を外から見た状態を図示しており、左側は電源カバー４０の端面を省略して内部部品の構成を図示している。１は器具本体であり、電源装置２を内蔵している。電源装置２には光源（ＬＥＤモジュール１１）を点灯させるのに必要な点灯制御回路を含んでいる。さらに自動点滅用の回路や照射光量を調節する電流制御回路を含んでも良い。４０は電源カバーであり、雨水が電源カバー４０内に吹き込んで電源装置２が濡れることを防ぐ。１０は取付本体であり、図１に示す方向において上側の電源側フランジ１０Ａに電源装置２を取りつけ、下側の照射側フランジ１０Ｂに照射部を取り付けている。これらのフランジは、少なくとも前記照明器具の長軸を挟んで対向する２箇所に設けられている。図１のみでは取付本体１０の形状がわかりにくいので、図３及び図４も参照されたい。詳しくは、図４に示す照射側フランジ１０Ｂの照射側平面１０ＦにＬＥＤモジュール１１が取りつけ、さらにＬＥＤモジュール１１を覆うように透光性カバー１２が取り付けている。電源カバー４０と取付本体１０とは、取付本体１０の外周に連続的に設けられた弾性体であるパッキン３を介して係合されており、取付本体１０と透光性カバー１２との接続部も弾性体であるＯリングなどのシール部材を介して係合されており、照明器具全体として防水構造となっている。２０は断面がコの字形の固定部材であり、透光性カバー取付用のネジ１４によって取付本体１０にネジ止めされている。固定部材２０については後で詳述する。３０は反射板である。本実施例の照明器具は、反射板無しで使用することもできるが、照明器具を設置した後で反射板を取り付けることもできる。
【００１３】
図２は図１の照明器具におけるＡ−Ａ断面の一部を示す。Ａ−Ａ断面は、取付本体１０及び固定部材２０を切断せず、板金製の器具本体１及び反射板３０ののみを切断した図である。図１における右側の反射板３０が断面で切断されており、反射板３０の取付部が固定部材２０とネジ１４に挟まれて、取付本体１０に共締めにより取り付けられている様子が図示されている。
【００１４】
図２では照明器具の左端部のみを示しているが、右端部も左端部と同様の構造となっている。本発明の照明器具の全長は、短いもので３００ｍｍ程度であり、長いものは２０００ｍｍ以上であってよい。固定部材２０は図２に開示されている部分だけでも片側２箇所のネジ１４を有しているが、長い照明器具の場合、ネジ１４の取付部は、１つの固定部材２０について５箇所以上となるものもあってよい。
【００１５】
図３は図２の照明器具を透光性カバー側から見た図である。ただし、反射板３０は無い状態であり、図３の上半分は固定部材２０及びネジ１４を外した状態である。透光性カバー１２の外周に取付用のツバ１２Ａを有している。図３の上半分では、取付用のツバ１２Ａの形状及び切欠き部１２Ｂの形状が見える。切欠き部１２Ｂは、透光性カバー１２が熱膨張してもツバ１２Ａがネジ１４に接触しないような大きさに設定されている。図３のように大きな切欠き部を設けても、固定部材２０は複数のネジ１４によって固定されるので、ツバ１２Ａを確実に押さえることができる。また、取付時に透光性カバー１２に反りや捩れなどの変形が生じていても、固定部材２０で比較的長い領域を同時に押圧するため、無理なく透光性カバー１２を押圧固定することができる。
【００１６】
図４は図２のＢ−Ｂ断面の左半分を示す図である。本実施例の照明器具は左右対称であるため、右半分の構造は左半分と同じである。図５は固定部付近の拡大図であり、図５（ａ）はネジ止め前の状態を示し、図５（ｂ）は図４と同じネジ止め後の状態を示す。固定部材２０の断面形状は略コの字形であり、取付側平部２１、背部２２、透光性カバー側平部２３から成っている。ネジ１４を締め付けることにより、固定部材２０の透光性カバー側平部２３が透光性カバー１２のツバ１２Ａを取付本体１０の照射側フランジ１０Ｂに押し付けることにより弾性体であるＯリング１３を適度に押しつぶしている。このような構造により、透光性カバー１２と取付本体１０とに囲まれた空間が防水・防湿構造を形成している。
【００１７】
本実施例に記載した照明器具は、通常は透光性カバーを下側にして天井などに取付けられるが、図１とは天地を逆にして上方向の照明に使用してもよい。また、壁などに取り付けて水平方向を照明してもよい。
【００１８】
本実施例に記載した照明器具は、透光性カバーを下側にして使用されることが多いが、本照明器具を組み立てる際には取付本体の照射側平面１０Ｆを上側にして静置し、ＬＥＤモジュール１１や透光性カバー１２を取り付けるほうが製造上容易である。図５（ａ）を上下逆にした位置関係となる。この場合にはＯリング１３を入れる溝を取付本体１０の照射側フランジ１０Ｂに形成するとＯリング１３をセットするのが容易である。そして透光性カバー１２を重ね、固定部材２０を照射側フランジ１０Ｂと透光性カバー１２のツバ１２Ａとを挟むようにセットする際に、固定部材２０の背部２２の内面が照射側フランジ１０Ｂの端面に当たる位置で、ネジ穴１０Ｃと取付穴２３Ａの位置が略一致するように設計されており、ネジ止めが容易である。固定部材２０が略コの字形であるため、重量バランスが取れており、ネジ止め工程中に固定部材２０が想定外の動きをしたり照射側フランジ１０Ｂから外れたりすることがない。
【００１９】
固定部材２０の好ましい形態を、図５及び図６を参照してより詳しく説明する。図５は引っ掛け凸部２１Ａの作用を説明する図であり、図５（ａ）は固定部材２０をネジ止めする前の状態を示し、図５（ｂ）はネジ留めした状態を示す。図６は固定部材及び取付部の一例の細部を示す図であり、図６（ａ）は固定部材２０単体の長軸に垂直な断面を示し、図６（ｂ）は図５（ｂ）から固定部材２０を消した状態を示す。固定部材２０は前述のとおり、照明器具の長軸に垂直な断面形状が略コの字形の長尺部材であり、アルミニウム合金の押し出し成形などにより簡単に製造できる。固定部材２０は、基本的に取付穴２３Ａ以外は図６（ａ）の形状のまま図面に垂直な方向へ、すなわち長軸に沿って所定の長さだけ延びている。取付穴２３Ａは、所定位置に所定個数だけ後加工される。１つの固定部材２０について、取付穴２３Ａは長軸に沿って最低２箇所設けられている。
【００２０】
取付側平部２１の端部には略コの字状固定部材２０の内側に凸になった部分、引っ掛け凸部２１Ａが設けられている。背部２２にはアゴ部２２Ａが設けられている。透光性カバー側平部２３の端部には取付穴２３Ａ及び押圧部２３Ｂが設けられている。これらの構造の作用については後述する。
【００２１】
引っ掛け凸部２１Ａの作用を図５及び図６に基づいて説明する。本実施例の照明器具は従来品より軽量・コンパクトになるように設計されている。そのため、照射側フランジ１０Ｂの寸法をより小さく、より薄くなるように設計している。この場合、上記のようにＯリング溝を照射側フランジ１０Ｂに設けると、引っ掛け凹部１０Ｄの位置と接近して照射側フランジ１０Ｂが薄くなりすぎて強度が許容できないほど小さくなる箇所ができてしまう。これを避けるために透光性カバー１２のツバ１２ＡにＯリング溝を設けると上記のように本体を逆さにした組立が難しくなる。
【００２２】
本実施例の図面に記載された照明器具の場合、透光性カバーの取付手順は以下のとおりになる。
（１）透光性カバーに設けられたＯリング溝１２ＣにＯリング１３を入れる。
（２）ＬＥＤモジュール１１を取りつけた取付本体１０を、照射側平面１０Ｆを下に向けて保持する。
（３）取付本体と透光性カバー１２を合わせた状態で、固定部材２０を照射側フランジ１０Ｂと透光性カバー１２のツバ１２Ａとを挟むようにセットする。
（４）ネジ１４を固定部材２０の取付穴２３Ａに入れてネジ止めする。
【００２３】
上記第３の手順で、引っ掛け凸部２１Ａは、固定部材２０が取付本体１０にネジ止めされる前には照射側フランジ１０Ｂに形成された引っ掛け凹部１０Ｄに係合している。このような構成をとることにより、組立作業中に固定部材２０から手を離しても固定部材２０が照射側フランジ１０Ｂ及び透光性カバー１２のツバ１２Ａから外れることがなく、ネジ止め工程中に固定部材２０が想定外の動きをしたり照射側フランジ１０Ｂから外れたりすることがない。
【００２４】
また図６（ａ）に記載されているように、透光性カバー側平部２３の内面（押圧部２３Ｂを有する構成では押圧部内面）と引っ掛け凸部２１Ａとの最短距離ｔ４は、照射側フランジ１０Ｂの厚さとツバ１２Ａの厚さの合計ｔ３より大きくする必要がある。ｔ４寸法がｔ３寸法より小さいと図５（ｂ）に示す隙間ｔｔの数値がマイナスとなり、固定部材２０を照射側フランジ１０Ｂと透光性カバー１２のツバ１２Ａとを挟むようにセットすることができない。またｔ４寸法を確保したうえで、引っ掛け凸部２１Ａの突起が引っ掛け凹部１０Ｄと安定して係合する大きさにするため、取付側平部２１の内面は、透光性カバー側平部２３の内面との間隔が背部２２側より開口側が大きくなるような傾斜面２１Ｂとするのが好ましい。ただし傾斜角αを過剰に大きくすると、図５（ａ）に示すネジ止め前の状態で透光性カバー側平部２３の傾きが大きくなりネジ止めがやりにくくなる。従って傾斜角αは１度から３度程度とするのが好ましい。
【００２５】
固定部材２０は断面が略コの字形であることにより、上記のような傾斜面２１Ｂが無くても、引っ掛け凸部２１Ａが無くても、ネジ止め前に取付本体１０の照射側フランジ１０Ｂから落ちることは無いが、引っ掛け凸部２１Ａ及び引っ掛け凹部１０Ｄを有する構成とすることにより、図５において左右方向に照明器具を揺らしても固定部材２０が取付本体１０から外れにくい構成となっている。
【００２６】
アゴ部２２Ａの作用を図５及び図６に基づいて説明する。図５（ｂ）に示すとおり、固定部材２０がネジ止めされた状態では、背部２２のアゴ部２２Ａが照射側フランジ１０Ｂに接触することで樹脂製のツバ１２Ａに過剰な締付力がかかることを防いでいる。
【００２７】
押圧部２３Ｂの作用を図５及び図６に基づいて説明する。押圧部２３Ｂはコの字状固定部材の内側に凸となるように構成されており、ネジ１４を締め付けた時にこの凸面のみが透光性カバー１２のツバ１２Ａに接触して透光性カバー１２を押圧する。透光性カバー側平部２３の内面をこのように構成することにより、固定部材２０がツバ１２Ａの切欠き部１２Ｂに接触せず、ツバ１２Ａの根元のみを押圧することになるため、透光性カバー１２に対して均一な力を加えることができ、透光性カバー１２が割れるおそれがない。
【００２８】
上記のとおり、本実施例に示す照明器具は、略コの字形状の固定部材を採用し、Ｏリングを介して取付本体のフランジと透光性カバーとツバ部とを押圧固定することにより、従来より小型化軽量化を図った設計を採用することが可能となり、さらに組立も簡単な照明器具となっている。
【００２９】
また図１及び図２に示すとおり、取付本体１０の電源側には電源カバー４０が設けられている。この電源カバー４０により、電源装置２は周囲に上部空間５０を有し、電源装置２からの発熱を十分排熱できる状態で雨水から守られている。以下に電源装置２回りの構造を詳しく説明する。
【００３０】
図７は電源装置２回りの構造を示す断面図である。本実施例の照明器具は図７の中心線である一点鎖線に対して線対称の形状である。取付本体１０は「電源側フランジ１０Ａ」「照射側フランジ１０Ｂ」の２枚の平板の間を１対のリブ１０Ｇで連結した構造である。取付本体１０はアルミニウム合金の押し出し加工などで一体的に成形されることが好ましい。図７で見て手前側及び裏側の端面には、図２に示す取付金具４７を取り付けるためのネジ穴４６Ａが設けられている。図４に示すとおり、取付本体１０の電源側フランジ１０Ａには、その表面である電源側平面１０Ｅに電源装置２が固定されている。同じ電源側平面１０Ｅの外周部付近にはパッキン３が載置され、このパッキン３を介して電源カバー４０が電源装置２を覆っている。
【００３１】
電源カバー４０は、電源カバー側面４１に電源カバー側面折り返し部４２を有し、電源カバー端面４３に電源カバー端面折り返し部４４を有している。それぞれの折り返し部の端部はそれぞれ側面または端面と直角に折り曲げられ、略長方形の開口部を有する箱形に組み立てられた時には箱形の開口端面と折り返し部端部の面とは平行になる。従って、電源カバー４０を取付本体１０に組み付ける際には、折り返し部の端部がパッキン３に平行に接触する。
【００３２】
電源カバー４０は、図２に示す通り、取付金具４７を介して取付本体１０と固定されている。図２の例では、電源カバー４０の電源カバー端面折り返し部４４の端部にナット４５を固定しておき、取付金具４７側から電源カバー取付ネジ４６をねじ込むことによって固定されている。ナットの代わりに電源カバー端面折り返し部４４の端部に厚めの板を溶接し、電源カバー取付ネジ４６をねじ込む位置にタップ穴を形成してもよい。電源カバー４０を固定した時の取付本体１０との隙間はパッキン３の厚さよりも小さく設定されている。
【００３３】
上記の構成を採用することにより、図２に示す状態においては、電源カバー４０の側面折り返し部４２及び端面折り返し部４４によって、本実施例の照明器具を屋外に設置した場合でも、上部空間５０への雨水の吹込みを防ぐ構造になっている。またこれら側面折り返し部４２及び端面折り返し部４４が取付本体１０の電源側フランジ１０Ａの外周全体にわたってパッキン３と接触し、パッキン３が適度に圧縮されているため電源装置へ雨水が浸入することはない。なお電源カバーの側面折り返し部４２と端面折り返し部４４とは隙間が出来ないように折り曲げ成形されているが、完全な防水を要求される場合には側面折り返し部４２と端面折り返し部４４との隙間をシール材またはロウ付けや溶接などで埋めても良い。
【００３４】
上記のとおり、本発明に係る照明器具は、２枚の平板が１対のリブで接続された構造の取付本体にパッキンを介して、開口端部に折り返し部を有する箱形の電源カバーをかぶせるという構成を採用することにより、電源周囲に排熱空間を有する防水構造を実現することが出来る。この構造は、光の照射側と電源側の２箇所の熱源を独立させているため、それぞれの発熱による影響を他方が受けることが無く、防水機構も独立しているため、万一浸水があったとしても被害は限定的である。
【００３５】
以上、本発明に係る照明器具の実施形態について説明したが、これらは例示であって、本発明を何等限定するものではない。本実施例に対して当業者が容易に成し得る追加・削除・変更・改良は、本発明の範囲内である。本発明の技術的範囲は、添付の特許請求の範囲の記載によって定められる。
【産業上の利用可能性】
【００３６】
本発明は、照射部の防水区域と前記電源装置周囲の防水区域とがそれぞれ独立した防水構造を、従来より小形軽量に設計することが可能な、比較的長尺の防水照明器具を提供するものである。  
【符号の説明】
【００３７】
１      器具本体
２      電源装置
３      パッキン
１０    取付本体
１０Ａ  電源側フランジ
１０Ｂ  照射側フランジ
１０Ｃ  ネジ穴
１０Ｄ  引っ掛け凹部
１０Ｅ  電源側平面
１０Ｆ  照射側平面
１０Ｇ  リブ
１１    ＬＥＤモジュール
１２    透光性カバー
１２Ａ  ツバ
１２Ｂ  切欠き部
１２Ｃ  Ｏリング溝
１３    Ｏリング
１４    ネジ
２０    固定部材
２１    取付側平部
２１Ａ  引っ掛け凸部
２１Ｂ  傾斜面
２２    背部
２２Ａ  アゴ部
２３    透光性カバー側平部
２３Ａ  取付穴
２３Ｂ  押圧部
３０    反射板
４０    電源カバー
４１    電源カバー側面
４２    電源カバー側面折り返し部
４３    電源カバー端面
４４    電源カバー端面折り返し部
４５    ナット
４６    電源カバー取付ネジ
４６Ａ  ネジ穴
４７    取付金具
４８    取付金具取付ネジ
５０    上部空間
【図１】
2017062926.tif 000003
【図２】
2017062926.tif 000004
【図３】
2017062926.tif 000005
【図４】
2017062926.tif 000006
【図５】
2017062926.tif 000007
【図６】
2017062926.tif 000008
【図７】
2017062926.tif 000009